(57)【要約】      （修正有）【課題】導光板の外周面から出射する光線を遮るために用いられる遮光リングが不要で、照明器具のコストを削減できる導光板を提供する。【解決手段】導光板は基板１を含み、基板１の中央には貫通孔が開設されており、貫通孔の側壁は入光面を構成し、基板１の底面は第１出光面１２を構成し、基板１の外周面は第２出光面１３を構成し、基板１には少なくとも１つの環状溝１４が開設される。発光源から放射される光線は、入光面を通って基板１に入射し、光線はそれぞれ第１出光面１２および第２出光面１３から出射できる。基板１に環状溝１４を開設し、且つ環状溝１４が第１出光面１２と第２出光面１３との間に位置することにより、環状溝１４が第２出光面１３に入射する光線を第１出光面１２に反射できるため、第２出光面１３から出射する光線の強度を低減させ、すなわち導光板の外周面での光強度を低減できる。【選択図】図４
0003228095.tif 000002
【実用新案登録請求の範囲】
【請求項１】
導光板であって、基板を含み、前記基板の中央には発光源を入れるための貫通孔が開設され、前記貫通孔の側壁は前記発光源から放射される光線が前記基板に入射するための入光面を構成し、前記基板の底面は光線が出射するたねの第１出光面を構成し、前記基板の外周面は光線が出射するための第２出光面を構成し、前記基板には前記第２出光面に入射する光線を前記第１出光面に反射するために用いられる少なくとも１つの環状溝が開設され、各前記環状溝は前記入光面と前記第２出光面との間に位置することを特徴とする導光板。
【請求項２】
前記環状溝はそれぞれ前記貫通孔の中心軸に傾斜して設けられる第１傾斜面及ぶ第２傾斜面を備えることを特徴とする請求項１に記載の導光板。
【請求項３】
前記第１傾斜面は前記第２傾斜面と交差しでおり、前記第１傾斜面と前記第２傾斜面との間の角度範囲は３０°〜９０°であることを特徴とする請求項２に記載の導光板。
【請求項４】
前記第１傾斜面と前記第２傾斜面との間の角度は６０°であることを特徴とする請求項３に記載の導光板。
【請求項５】
各前記環状溝は前記基板上の前記第２出光面に近い位置に位置することを特徴とする請求項１に記載の導光板。
【請求項６】
前記環状溝は、同軸で設けられている少なくとも２つであり、前記基板の両面にはそれぞれ前記環状溝が開設されていることを特徴とする請求項１に記載の導光板。
【請求項７】
各前記環状溝の深さは前記基板の厚さの半分を超えることを特徴とする請求項１から６のいずれか一項に記載の導光板。
【請求項８】
照明器具であって、請求項１から７のいずれか一項に記載の導光板と、前記導光板を支持するために用いられる支持台と、を含み、前記導光板は前記支持台に取り付けられていることを特徴とする照明器具。
【請求項９】
前記支持台は、ボトムベースと、前記ボトムベースに着脱可能に接続されているトップベースと、を含み、前記導光板はボトムベースとトップベースとの間に位置し、
前記ボトムベースの中央には前記導光板の貫通孔の中に挿入する凸部が前記トップベースの方向に向いて突設され、前記凸部には光を放射する発光体が嵌合して固定されており、前記発光体は前記貫通孔の中に位置することを特徴とする請求項８に記載の照明器具。
【請求項１０】
前記導光板には少なくとも１つの位置決め穴が開設され、前記ボトムベースには、対応して前記位置決め穴の中に挿入するための位置決め柱が取り付けられていることを特徴とする請求項９に記載の照明器具。
【考案の詳細な説明】
【技術分野】
【０００１】
本考案は、照明器具の技術分野に属し、具体的には、導光板および当該導光板を使用する照明器具に関する。
【背景技術】
【０００２】
多くのＵＦＯライトはアクリル製の円形の導光板を採用し、導光板の上面にレーザーによるドット処理で発光する。具体的には、光源を導光板の中央に配置し、光源から放射される光線は、導光板の入光面から導光板に入射し、導光板の底面から出射する。
【０００３】
導光板は、一定の厚さを備えるため、導光板の入光面から入射する光線は導光板の外周面から出射する可能性もあり、且つ当該外周面から出射する光線の光強度が高いため、眩しくて直視できなくなる。上記の課題を解決するために、現在、導光板の外周面に遮光リングを追加することによって光線を遮る。しかしながら、遮光リングは、導光板の形状に合わせて円形にする必要があり、製造効率が低く、且つ遮光リングの取り付けが容易であり、寸法公差のコントロールが難しく、照明器具のコストが高くなる。
【考案の概要】
【考案が解決しようとする課題】
【０００４】
本考案は、従来技術における、導光板の外周面から出射する光線を遮るために用いられる遮光リングの加工及び取り付けが不便で、照明器具のコストが高いという課題を解決しようとする導光板を提供することを目的とする。
【課題を解決するための手段】
【０００５】
上記の目的を達成するために、本考案は以下の技術的解決手段を採用する。すなわち、基板を含み、前記基板の中央には発光源を入れるための貫通孔が開設され、前記貫通孔の側壁は前記発光源から放射される光線が前記基板に入射するための入光面を構成し、前記基板の底面は光線が出射するための第１出光面を構成し、前記基板の外周面は光線が出射するための第２出光面を構成し、前記基板には前記第２出光面に入射する光線を前記第１出光面に反射するために用いられる少なくとも１つの環状溝が開設され、各前記環状溝は前記入光面と前記第２出光面との間に位置する、導光板を提供することである。
【０００６】
さらに、前記環状溝はそれぞれ前記貫通孔の中心軸に傾斜して設けられる第１傾斜面及び第２傾斜面を備える。
【０００７】
さらに、前記第１傾斜面は前記第２傾斜面と交差しでおり、前記第１傾斜面と前記第２傾斜面との間の角度範囲は３０°〜９０°である。
【０００８】
さらに、前記第１傾斜面と前記第２傾斜面との間の角度は６０°である。
【０００９】
さらに、各前記環状溝は前記基板上の前記第２出光面に近い位置に位置する。
【００１０】
さらに、前記環状溝は、同軸で設けられている少なくとも２つであり、前記基板の両面にはそれぞれ前記環状溝が開設されている。
【００１１】
さらに、各前記環状溝の深さは前記基板の厚さの半分を超える。
【００１２】
本考案のもう１つの目的は、上記の導光板と、前記導光板を支持するために用いられる支持台と、を含み、前記導光板は前記支持台に取り付けられている照明器具を提供することである。
【００１３】
さらに、前記支持台は、ボトムベースと、前記ボトムベースに着脱可能に接続されているトップベースと、を含み、前記導光板はボトムベースとトップベースとの間に位置し、
前記ボトムベースの中央には前記導光板の貫通孔の中に挿入する凸部が前記トップベースの方向に向いて突設され、前記凸部には光を放射する発光体が嵌合して固定されており、前記発光体は前記貫通孔の中に位置する。
【００１４】
さらに、前記導光板には少なくとも１つの位置決め穴が開設され、前記ボトムベースには、対応して前記位置決め穴の中に挿入するための位置決め柱が取り付けられている。
【考案の効果】
【００１５】
本考案に係る導光板及び照明器具の有益な効果として、従来技術に比べて、発光源から放射された光線は、入光面を通って基板に入射し、光線はそれぞれ第１出光面と第２出光面から出射できる。基板に環状溝が開設し、且つ環状溝が第１出光面と第２出光面との間に位置し、環状溝が第２出光面に入射した光線を第１出光面に反射することによって、第２出光面から出射する光線の強度を低減し、導光板の外周面での光強度を低減できる。したがって、本考案は、遮光リングの構造設計を不要とし、この導光板は遮光リングの代わりになり、導光板の外周面での光強度が弱く、使用者が直視しても眩しく感じせず、照明器具のコストを効果的に削減できる。
【００１６】
本考案の実施形態に係る技術的解決手段をより明らかにするために、以下、実施例または従来技術の説明に使用する必要がある図面を簡単に説明するが、明らかなことに、以下の説明における図面は、本考案のいくつかの実施例に過ぎない。当業者であれば、創造的な工夫をせずに、これらの図面から他の図面を取得することができる。
【図面の簡単な説明】
【００１７】
【図１】本考案の実施形態に係る導光板の構造の斜視図である。
【図２】本考案の実施形態に係る導光板の上面図である。
【図３】本考案の実施形態に係る導光板の断面図である。
【図４】図３のＡ部分の拡大図である。
【図５】本考案の実施形態に係る照明器具の分解図である。
【図６】本考案の実施形態に係るボトムベースの構造概略図である。
【考案を実施するための形態】
【００１８】
本考案が解決しようとする技術的問題、技術的解決手段および考案の効果をより分かりやすくするために、以下に図面および実施例を参照しながら、本考案について詳しく説明する。ここで記載した具体的な実施例は本考案を説明するためのものに過ぎず、本考案を限定するためのものではないことを理解されたい。
【００１９】
ある部材が別の部材に「固定」または「設置」されると称する場合に、それが別の部材に直接的または間接的に位置するようにしてもよい。ある部材が別の部材に「連結」されると称する場合に、それは、別の部材に直接的または間接的に連結されるようにしてもよいことに留意されたい。
また、“第１”、“第２”という用語は説明の目的だけに用いられ、比較的重要性を指示するかまたは暗示するか、あるいは示された技術的特徴の数を黙示的に指示するためのものと理解してはいけない。したがって、“第１”、“第２”などで限定された特徴は、１つまたは複数の該特徴を明示的または暗黙的に含むことができる。本考案の説明において、別途明確かつ具体的な限定がない限り、「複数」とは、二つ以上を意味する。
【００２０】
本考案の説明において、「中心」、「長さ」、「幅」、「厚さ」、「上」、「下」、「前」、「後」、「左」、「右」、「垂直」、「水平」、「頂」、「底」、「内」、「外」などの用語が示した方位または位置関係は、図面に示された方位または位置関係に基づいて本考案を説明しやすくおよび簡単化するためのものに過ぎず、装置または部品が特定の方位を有しそして特定の方位で構成し操作しなければならないことを指すかまたは暗示するためのものではないため、本考案を限定するためものではないことを理解されたい。
本考案の説明において、別途明確かつ具体的な限定がない限り、「取り付け」、「接続」、「連結」という用語は、広い意味で理解されるべきである。例えば、固定接続であってもよいし、着脱可能な接続であってもよいし、または一体接続でもよい。機械的接続であってもよいし、電気的接続であってもよい。直接接続であってもよいし、媒介によって間接的に接続されることであってもよい。２つの部材の内部が連通していることであってもよいし、または２つの部材の相互作用であってもよい。当業者であれば、具体的な状況に基づく上記の用語本考案での具体的な意味を理解できる。
【００２１】
以下、図１、図３及び図４に合わせて、本考案の実施形態に係る導光板について説明する。当該導光板は、基板１を含み、当該基板１の中央に発光源を入れるための貫通孔１０が開設され、貫通孔１０の側壁は当該発光源から放射された光線が基板１に入射するための入光面１１を構成し、基板１の底面は光線が出射するための第１出光面１２を構成し、基板１の外周面は光線が出射するための第２出光面１３を構成する。基板１には前記第２出光面１３に入射した光線を前記第１出光面１２に反射するように使用される少なくとも１つの環状溝１４が設けられ、各環状溝１４は入光面１１と第２出光面１３との間に位置する。
【００２２】
選択的に、各環状溝１４は基板１上の第２出光面１３に近い位置に位置し、即ち、光線が第１出光面１２から均一に出射するように、環状溝１４と入光面１１との間の距離は環状溝１４と第２出光面１３との間の距離よりも大きい。
【００２３】
選択的に、基板１の上面にレーザーでドットを作る処理を行い、発光源から放射された光線は基板１に入射して、光線を可能な限り第１出光面１２から出射させる。第２出光面１３から出射される光線の強度を低減するため、基板１の外周面につや消し処理が行われる。選択的に、当該基板１はアクリル素材で製造され、ここで唯一に限定されない。
【００２４】
さらに、図４に示すように、本考案の実施例で提供される導光板の一実施形態として、環状溝１４はそれぞれ貫通孔１０の中心軸に傾斜して設けられる第１傾斜面１４１及ぶ第２傾斜面１４２を備える。この構造において、入光面１１から入射した光線は第１傾斜面１４１を介して反射され、第２出光面１３に入射した光線がそれぞれ基板１の２つの側面に向かって発散し、これによって、第２出光面１３から出射する光線の強度が低減される。また、第２出光面１３に入射する他の部分の光線が第２傾斜面１４２によって反射されることにより、第２出光面１３から出射する光線の強度がさらに低減される。したがって、第１傾斜面１４１及び第２傾斜面１４２の二重反射によって、第２出光面１３から出射する光線の強度が弱くなり、導光板の外周面からの光線の明るさが弱くて、使用者に直視しやすく、眩しく感じない。
【００２５】
選択的に、第１傾斜面１４１と第２傾斜面１４２は２つの平行傾斜面であってもよく、または２つの交差している傾斜面であってもよい。第１傾斜面１４１と貫通孔の中心軸との間の角度、及び第２傾斜面１４２と貫通孔の中心軸との間の角度が実際の需要に応じて調整してもよく、ここで唯一に限定されない。
【００２６】
さらに、図４に示すように、本考案の実施例で提供された導光板の一実施形態として、第１傾斜面１４１は第２傾斜面１４２と交差しでおり、第１傾斜面１４１と第２傾斜面１４２との間の角度範囲は３０°〜９０°である。選択的に、第１傾斜面１４１と第２傾斜面１４２との間の角度は６０°である。この構造において、発光源から放射された光線を効果的に第１出光面１２に反射できるため、発光源から放射される光線の大部分が第１出光面１２から出射し、照明器具の発光効果がよくなる。また、導光板の外周面の光強度も低減され、導光板の外周面の輝度が大きすぎてまぶしいことが回避される。他の実施例において、第１傾斜面１４１と第２傾斜面１４２の間の角度が実際の需要に応じて調整でき、ここで唯一に限定されない。
【００２７】
さらに、図４に示すように、本考案の実施例で提供される導光板の一実施形態として、各環状溝１４の深さは基板１の厚さの半分を超え、すなわち環状溝１４の深さは基板１の厚さより小さい。この構造において、環状溝１４の底面と基板１の対応する側面は間隔をおいて設けられ、一部の光線がこの隙間から基板１の外周面まで伝わり続けることができるため、導光板全体が点灯され、照明器具の照射効果が上向される。他の実施例において、各環状溝１４の深さが実際の需要に応じて調整でき、ここで唯一に限定されない。
【００２８】
さらに、図４に示すように、本考案の実施例で提供される導光板の一実施形態として、環状溝１４は同軸に設けられている少なくとも２つであり、基板１の両面にはそれぞれ環状溝１４が開設されている。選択的に、複数の環状溝１４は入光面１１の第２出光面１３に向く方向に沿って順次に間隔をおいて設けられ、複数の環状溝１４は２つのグループに分けられ、１つのグループの環状溝１４は基板１の上面に位置し、もう一つのグループの環状溝１４は基板１の底面に位置する。この構造において、環状溝１４の数量が２つ以上である場合、複数の環状溝１４は２つのグループに分けられてそれぞれ基板１の２つの側面に開設され、且つ交互で順次に間隔をおいて配置される。発光源から放射された光線が第１環状溝１４の第１傾斜面１４１および第２傾斜面１４２に反射された後、第２出光面１３に照射する光線の強度が低減される。複数の環状溝１４によって、上記反射を複数回繰り返した後、第２出光面１３に照射する光線の強度が徐々に低減されるため、第２出光面１３からの光強度も大幅に削減され、使用者が導光板の外周面を直視でき、眩しく感じない。
【００２９】
複数の環状溝１４の交互配置により、基板１に複数の環状溝１４を開設できる。選択的に、隣り合う２つの環状溝１４の深さの総和は基板１の厚さより大きく、即ち、隣り合う２つの環状溝１４が重なり合う部分があり、従って、光線の多重反射を実現でき、第２出光面１３から出射する光線の強度が低減される。他の実施例において、環状溝１４の数および配置方式などが実際の需要に応じて調整でき、ここで唯一に限定されない。
【００３０】
選択的に、図４に示すように、本考案の実施例で提供される導光板の一実施形態として、環状溝１４の横断面はＶ字状である。この構造において、第１傾斜面１４１と第２傾斜面１４２は環状溝１４の中心軸に対して対称に配置され、光線に対する反射効果が優れている。他の実施例において、環状溝１４の横断面は台形、円形、半円形などの他の形状であってもよく、ここで唯一に限定されない。
【００３１】
以下、図５及び図６を参照しながら、本考案の実施形態に係る照明器具について説明する。当該照明器具は、上記の導光板と、当該導光板を支持するために用いられる支持台２と、を含み、導光板は当該支持台２に取り付けられている。
【００３２】
本考案に係る導光板及び照明器具の有益な効果は以下のとおりである、従来技術に比べると、発光源から放射された光線は、入光面を通って基板に入射し、光線はそれぞれ第１出光面と第２出光面から出射できる。基板に環状溝が開設し、且つ環状溝が第１出光面と第２出光面との間に位置し、環状溝が第２出光面に入射した光線を第１出光面に反射することによって、第２出光面から出射する光線の強度を低減し、導光板の外周面での光強度を低減できる。したがって、本考案は、遮光リングの構造設計を不要とし、この導光板は遮光リングの代わりになり、導光板の外周面での光強度が弱く、使用者が直視しても眩しく感じせず、照明器具のコストを効果的に削減できる。
【００３３】
さらに、図５及び図６に示すように、本考案の実施例で提供された照明器具の一実施形態として、支持台２はボトムベース２１と、ボトムベース２１に着脱可能に接続されているトップベース２２と、を含み、導光板はボトムベース２１とトップベース２２との間に位置する。ボトムベース２１の中央には基板１の貫通孔１０の中に挿入する凸部２１１がトップベース２２の方向に向いて突設され、凸部２１１には光を放射する発光体２１２が嵌合して固定されており、発光体２１２は貫通孔１０の中に位置する。この構造において、ボトムベース２１とトップベースは導光板をクランプ固定し、凸部２１１に嵌合して固定されている発光体２１２から放射された光線は入光面１１によって基板１に入射できる。
【００３４】
選択的に、図５及び図６に示すように、凸部２１１の外周面には複数の係止フック２１４が設けられ、トップベース２２には各係止フック２１４に係合するための係止孔２２０が対応して設けられ、それによりボトムベース２１とトップベース２２の着脱可能な接続が実現され、ボトムベース２１とトップベース２２の着脱は容易でかつ迅速である。他の実施例において、ボトムベース２１とトップベース２２との間は他の方式で着脱可能な接続を実現してもよく、ここで唯一に限定されない。
【００３５】
選択的に、図５に示すように、発光体２１２はランプパネル２１２１及びランプパネル２１２１に設けられている複数のランプビーズ２１２２と、を含み、ランプパネル２１２１は凸部２１１に嵌合して固定され、ランプビーズ２１２２はランプパネル２１２１の貫通孔１０の内側壁に向く側面に取り付けられ、ランプビーズ２１２２から放射された光線が入光面１１から基板１に入射することを容易にする。
【００３６】
さらに、図１及び図６に示すように、本考案の実施例で提供された照明器具の一実施形態として、導光板には少なくとも１つの位置決め穴１５が開設され、ボトムベース２１には、対応して位置決め穴１５の中に挿入するための位置決め柱２１３が取り付けられている。この構造において、位置決め柱２１３と位置決め穴１５との係合による位置決めによって、基板１は指定位置に設けられることを実現でき、そして、基板１の回転を防止でき、基板１の安定性を高める。選択的に、位置決め穴１５は貫通孔１０と連通し、位置決め穴１５の加工や製造を容易にし、製造効率を高める。他の実施例において、環状溝１５の数及び取り付け位置は実際の需要に応じて調整でき、ここで唯一に限定されない。
【００３７】
上記は本考案の優れた実施例に過ぎず、本考案を制限するものではない。本考案の精神及び原則内においてなされたあらゆる変更、同等物による置換及び改良等は、すべて本考案の保護範囲内に含まれるものである。
【符号の説明】
【００３８】
１  基板
１０  貫通孔
１１  入光面
１２  第１出光面
１３  第２出光面
１４  環状溝
１４１  第１傾斜面
１４２  第２傾斜面
１５  位置決め穴
２  支持台
２１  ボトムベース
２１１  凸部
２１２  発光体
２１２１  ランプパネル
２１２２  ランプビーズ
２１３  位置決め柱
２１４  係止フック
２２  トップベース
２２０  係止孔
【図１】
0003228095.tif 000003
【図２】
0003228095.tif 000004
【図３】
0003228095.tif 000005
【図４】
0003228095.tif 000006
【図５】
0003228095.tif 000007
【図６】
0003228095.tif 000008
【手続補正書】
【提出日】令和2年7月1日(2020.7.1)
【手続補正１】
【補正対象書類名】実用新案登録請求の範囲
【補正対象項目名】全文
【補正方法】変更
【補正の内容】
【実用新案登録請求の範囲】
【請求項１】
導光板であって、基板を含み、前記基板の中央には発光源を入れるための貫通孔が開設され、前記貫通孔の側壁は前記発光源から放射される光線が前記基板に入射するための入光面を構成し、前記基板の底面は光線が出射するための第１出光面を構成し、前記基板の外周面は光線が出射するための第２出光面を構成し、前記基板には前記第２出光面に入射する光線を前記第１出光面に反射するために用いられる少なくとも１つの環状溝が開設され、各前記環状溝は前記入光面と前記第２出光面との間に位置することを特徴とする導光板。
【請求項２】
前記環状溝はそれぞれ前記貫通孔の中心軸に傾斜して設けられる第１傾斜面及び第２傾斜面を備えることを特徴とする請求項１に記載の導光板。
【請求項３】
前記第１傾斜面は前記第２傾斜面と交差しでおり、前記第１傾斜面と前記第２傾斜面との間の角度範囲は３０°〜９０°であることを特徴とする請求項２に記載の導光板。
【請求項４】
前記第１傾斜面と前記第２傾斜面との間の角度は６０°であることを特徴とする請求項３に記載の導光板。
【請求項５】
各前記環状溝は前記基板上の前記第２出光面に近い位置に位置することを特徴とする請求項１に記載の導光板。
【請求項６】
前記環状溝は、同軸で設けられている少なくとも２つであり、前記基板の両面にはそれぞれ前記環状溝が開設されていることを特徴とする請求項１に記載の導光板。
【請求項７】
各前記環状溝の深さは前記基板の厚さの半分を超えることを特徴とする請求項１から６のいずれか一項に記載の導光板。
【請求項８】
照明器具であって、請求項１から７のいずれか一項に記載の導光板と、前記導光板を支持するために用いられる支持台と、を含み、前記導光板は前記支持台に取り付けられていることを特徴とする照明器具。
【請求項９】
前記支持台は、ボトムベースと、前記ボトムベースに着脱可能に接続されているトップベースと、を含み、前記導光板はボトムベースとトップベースとの間に位置し、
前記ボトムベースの中央には前記導光板の貫通孔の中に挿入する凸部が前記トップベースの方向に向いて突設され、前記凸部には光を放射する発光体が嵌合して固定されており、前記発光体は前記貫通孔の中に位置することを特徴とする請求項８に記載の照明器具。
【請求項１０】
前記導光板には少なくとも１つの位置決め穴が開設され、前記ボトムベースには、対応して前記位置決め穴の中に挿入するための位置決め柱が取り付けられていることを特徴とする請求項９に記載の照明器具。
【手続補正２】
【補正対象書類名】明細書
【補正対象項目名】００１５
【補正方法】変更
【補正の内容】
【００１５】
本考案に係る導光板及び照明器具の有益な効果として、従来技術に比べて、発光源から放射された光線は、入光面を通って基板に入射し、光線はそれぞれ第１出光面と第２出光面から出射できる。基板に環状溝が開設し、且つ環状溝が第１出光面と第２出光面との間に位置し、環状溝が第２出光面に入射した光線を第１出光面に反射することによって、第２出光面から出射する光線の強度を低減し、導光板の外周面での光強度を低減できる。したがって、本考案は、遮光リングの構造設計を不要とし、この導光板は遮光リングの代わりになり、導光板の外周面での光強度が弱く、使用者が直視しても眩しく感じさせず、照明器具のコストを効果的に削減できる。
【手続補正３】
【補正対象書類名】明細書
【補正対象項目名】００２０
【補正方法】変更
【補正の内容】
【００２０】
本考案の説明において、「中心」、「長さ」、「幅」、「厚さ」、「上」、「下」、「前」、「後」、「左」、「右」、「垂直」、「水平」、「頂」、「底」、「内」、「外」などの用語が示した方位または位置関係は、図面に示された方位または位置関係に基づいて本考案を説明しやすくおよび簡単化するためのものに過ぎず、装置または部品が特定の方位を有しそして特定の方位で構成し操作しなければならないことを指すかまたは暗示するためのものではないため、本考案を限定するためものではないことを理解されたい。
本考案の説明において、別途明確かつ具体的な限定がない限り、「取り付け」、「接続」、「連結」という用語は、広い意味で理解されるべきである。例えば、固定接続であってもよいし、着脱可能な接続であってもよいし、または一体接続でもよい。機械的接続であってもよいし、電気的接続であってもよい。直接接続であってもよいし、媒介によって間接的に接続されることであってもよい。２つの部材の内部が連通していることであってもよいし、または２つの部材の相互作用であってもよい。当業者であれば、具体的な状況に基づく上記の用語の本考案での具体的な意味を理解できる。
【手続補正４】
【補正対象書類名】明細書
【補正対象項目名】００２４
【補正方法】変更
【補正の内容】
【００２４】
さらに、図４に示すように、本考案の実施例で提供される導光板の一実施形態として、環状溝１４はそれぞれ貫通孔１０の中心軸に傾斜して設けられる第１傾斜面１４１及び第２傾斜面１４２を備える。この構造において、入光面１１から入射した光線は第１傾斜面１４１を介して反射され、第２出光面１３に入射した光線がそれぞれ基板１の２つの側面に向かって発散し、これによって、第２出光面１３から出射する光線の強度が低減される。また、第２出光面１３に入射する他の部分の光線が第２傾斜面１４２によって反射されることにより、第２出光面１３から出射する光線の強度がさらに低減される。したがって、第１傾斜面１４１及び第２傾斜面１４２の二重反射によって、第２出光面１３から出射する光線の強度が弱くなり、導光板の外周面からの光線の明るさが弱くて、使用者に直視しやすく、眩しく感じない。